(57)【要約】【課題】マルチメディア広告放送プラットフォーム及びモニタ効果を具えた自動販売機の提供。【解決手段】販売機本体外表面にディスプレイが取付られ、販売機本体内部に設置された放送装置と監視装置が該ディスプレイに接続され、該放送装置及び２４時間監視装置の別端が販売機本体の主回路板に接続され、該主回路板に時間制御ユニットが設けられ、該放送装置と該監視装置の駆動を制御し、自動販売機の営業販売時に主回路板により設定時間に放送装置を制御して商品広告を放送し、並びに深夜の人が少ない時間に、監視装置の撮影する内容に切り換えて製品の販売促進及び窃盗防止の機能を有する。【選択図】図３
0003137182.tif 000002
【実用新案登録請求の範囲】
【請求項１】
販売機本体内に物品収容エリアが設けられ、並びに販売機本体前方の透明パネルに物品選択エリア、金銭投入装置及び物品取出し口が設けられ、該販売機本体内部に自動化制御に用いられる主回路板が設けられ、該主回路板に時間制御ユニットが設けられて、該販売機本体の電子装置の駆動時間を制御するマルチメディア広告放送プラットフォーム及びモニタ効果を具えた自動販売機において、
該時間制御ユニットの一端に放送装置が設置され、且つ該放送装置の別端にディスプレイが接続され、該ディスプレイは該販売機本体の外表面に設置され、上述の時間制御ユニットが設定時間内に該放送装置を駆動して放送動作を実行して画像ソースをディスプレイに出力し、広告を放送することを特徴とする、マルチメディア広告放送プラットフォーム及びモニタ効果を具えた自動販売機。
【請求項２】
前記時間制御ユニットの一端に更に少なくとも一つの監視装置が設置されて、特定角度の画面の撮影と録画を行なうことを特徴とする、請求項１記載のマルチメディア広告放送プラットフォーム及びモニタ効果を具えた自動販売機。
【請求項３】
前記監視装置はデジタルビデオレコーダとされ、前記監視装置は、レンズ、録画システム及び保存ユニットを包含することを特徴とする、請求項２記載のマルチメディア広告放送プラットフォーム及びモニタ効果を具えた自動販売機。
【請求項４】
前記レンズは販売機本体の外表面部分に設けられることを特徴とする、請求項３記載のマルチメディア広告放送プラットフォーム及びモニタ効果を具えた自動販売機。
【考案の詳細な説明】
【技術分野】
【０００１】
本考案は一種のマルチメディア広告放送プラットフォーム及びモニタ効果を具えた自動販売機に係り、特に販売機内に映像放送装置と監視システムが設けられ、設定時間に商品広告を放送し、商品に対する直接的な広告を行なって販売促進し、並びに深夜に監視システムが録画した画像に自動的に切換えて放送し、窃盗防止の機能を達成する自動販売機に関する。
【背景技術】
【０００２】
ほとんどの商店は２４時間営業ではなく、辺鄙な地方では商店も少ないため、不便を解消するため業者が特定地点に自動販売機を設置し、自動販売機を利用して商品を提供し、人々が生活に必要な物資を購入できるようにしている。
【０００３】
現在、自動販売機の設計は、ほとんどが機体を有し、機体内に商品収容エリアが設けられ、機体前方の透明ウインドウで商品を見ることができ、選択ボタンを操作して購入する商品を選択し、必要な金額を投入すると、商品が押し出されて取出し口に落とされ、消費者は取出し口より購入した商品を取り出すことができる。その購入の方式は相当に簡単便利であり、スピーディーに購入できる。
【考案の開示】
【考案が解決しようとする課題】
【０００４】
市場の自動販売機は固定地点に置かれ、受動的販売方式であり、消費者に対して便利性の機能を提供できるが、その販売する商品に対しては、受動式販売方式は商品に対する購入意欲をかきたてることなく、商品販売量をアップすることはできない。
【０００５】
さらに、自動販売機が辺鄙なところに設置されている場合、サービス員は頻繁には商品補充と集金にこないため、自動販売機が窃盗に遭いやすく、夜間の人気がない時、機体が破壊され金銭が盗まれやすく、販売機周辺には監視システムがないため、事前に通報することも画像を録画して後の追跡に供することもできない。このため類似の事件が不断に発生し、営業上の損失をもたらす。このような欠点は改善すべきである。
【課題を解決するための手段】
【０００６】
請求項１の考案は、販売機本体内に物品収容エリアが設けられ、並びに販売機本体前方の透明パネルに物品選択エリア、金銭投入装置及び物品取出し口が設けられ、該販売機本体内部に自動化制御に用いられる主回路板が設けられ、該主回路板に時間制御ユニットが設けられて、該販売機本体の電子装置の駆動時間を制御するマルチメディア広告放送プラットフォーム及びモニタ効果を具えた自動販売機において、
該時間制御ユニットの一端に放送装置が設置され、且つ該放送装置の別端にディスプレイが接続され、該ディスプレイは該販売機本体の外表面に設置され、上述の時間制御ユニットが設定時間内に該放送装置を駆動して放送動作を実行して画像ソースをディスプレイに出力し、広告を放送することを特徴とする、マルチメディア広告放送プラットフォーム及びモニタ効果を具えた自動販売機としている。
請求項２の考案は、前記時間制御ユニットの一端に更に少なくとも一つの監視装置が設置されて、特定角度の画面の撮影と録画を行なうことを特徴とする、請求項１記載のマルチメディア広告放送プラットフォーム及びモニタ効果を具えた自動販売機としている。
請求項３の考案は、前記監視装置はデジタルビデオレコーダとされ、前記監視装置は、レンズ、録画システム及び保存ユニットを包含することを特徴とする、請求項２記載のマルチメディア広告放送プラットフォーム及びモニタ効果を具えた自動販売機としている。
請求項４の考案は、前記レンズは販売機本体の外表面部分に設けられることを特徴とする、請求項３記載のマルチメディア広告放送プラットフォーム及びモニタ効果を具えた自動販売機としている。
【考案の効果】
【０００７】
本考案はマルチメディア広告放送プラットフォーム及びモニタ効果を具えた自動販売機を提供し、それは、映像放送装置を自動販売機に結合し、映像放送装置により商品広告情報を循環して放送して消費者の購入意欲をかきたてて、商品販売量をアップできる。
【０００８】
また、本考案はマルチメディア広告放送プラットフォーム及びモニタ効果を具えた自動販売機を提供し、それは、２４時間随時自動販売機周辺の人、事件、物を録画でき並びに販売機にビルトインされたディスプレイにより監視内容を放送して、泥棒に警告を与えて窃盗防止することができる。
【考案を実施するための最良の形態】
【０００９】
本考案は、販売機本体内に物品収容エリアが設けられ、並びに販売機本体前方の透明パネルに物品選択エリア、金銭投入装置及び物品取出し口が設けられ、該販売機本体内部に自動化制御に用いられる主回路板が設けられ、該主回路板に時間制御ユニットが設けられて、該販売機本体の電子装置駆動時間を制御するマルチメディア広告放送プラットフォーム及びモニタ効果を具えた自動販売機において、
【００１０】
該時間制御ユニットの一端に放送装置が設置され、且つ該放送装置の別端にディスプレイが接続され、該ディスプレイは該販売機本体の外表面に設置され、上述の時間制御ユニットが設定時間内に該放送装置を駆動して放送動作を実行して画像ソースをディスプレイに出力し、広告を放送することを特徴とする、マルチメディア広告放送プラットフォーム及びモニタ効果を具えた自動販売機。
【００１１】
そのうち、上述の放送装置は光ディスク読取り装置、メモリ装置等の放送装置とされる。
【００１２】
好ましい実施例では、上述の主回路板の時間制御ユニットの一端にさらに少なくとも一つの監視装置が設置されて特定角度の画面を撮影及び録画する。
【００１３】
好ましい実施例では、該販売機本体の周囲に更に多路監視装置が設けられ、全方位各角度の監視を行い、周辺環境の安全を確保する。
【００１４】
そのうち、上述の監視装置は、レンズ、録画システム及び保存ユニットを包含し、上述のレンズは販売機本体外表面或いは周辺環境に設置される。
【００１５】
理想的な実施例では、上述の監視装置はデジタルビデオレコーダー（Ｄｉｇｉｔａｌ
Ｖｉｄｅｏ  Ｒｅｃｏｒｄｅｒ：ＤＶＲ）とされる。
【実施例１】
【００１６】
図１及び図２に示されるように、本考案はマルチメディア広告放送プラットフォーム及びモニタ効果を具えた自動販売機とされ、図示される実施例中、それは機体１０を具え、該機体１０内に物品収容エリア１１が設けられ、並びに機体１０の前方の透明パネルに物品選択エリア１２、金銭投入装置１３、及び物品取出し口１４が設けられている。該機体１０は内部の主回路板に設けられたプログラムにより回路自動化制御され、並びに販売物品の種類により、機体１０内に保温設備或いは冷却設備が設けられる。消費者が好みにより購入商品を選択して、パネル上に表示された物品価格と同じ金額を投入すると、物品は機体１０内の物品収容エリア１１より物品取出し口１４に送られ、消費者に受け取られる。
【００１７】
そのうち、該主回路板には時間制御ユニット２２が設けられ、機体１０の各電子部品を制御して設定時間に駆動する。
【００１８】
実行可能な実施例では、該機体１０前方に特定空間が設けられてディスプレイ２０が置かれ、機体１０内に放送装置２１が設けられて該放送装置２１が該ディスプレイ２０に接続され、並びに該放送装置２１の一端が機体１０の主回路板に接続され、該放送装置２１は主回路板による電子制御を受ける。
【００１９】
そのうち、上述の特定空間は機体１０前方のパネルとされ得て、それに該ディスプレイ２０が設置されるか、或いは消費者から見える機体１０の表面の任意のエリアとされ得る。
【００２０】
実行可能な実施例では、上述の放送装置２１は光ディスク読取り装置、メモリ読取り装置等とされる。
【００２１】
自動販売機が運転営業する時、予め放送装置２１内に広告映像データが保存され、主回路板内に設けられた時間制御ユニット２２が設定時間に放送装置２１を駆動し作動させ、放送装置２１が運転開始し、保存した映像データをディスプレイ２０に出力し、ディスプレイ２０が販売商品の広告を放送し、並びに放送装置２１は主回路板の時間制御ユニット２２の制御を受けて、特定時間に異なる商品の広告情報に切り換えて放送し、こうして強力なマルチメディア広告の循環放送を行い、消費者の購入時に特定商品を選択する意思を触発し、その販売する商品の販売促進に寄与し、製品の販売量をアップする。
【００２２】
広告の放送を通し、販売商品の販売促進効果を達成するほか、広告放送定点とされ得て、その他のメーカーと協定して他の商品の広告メディアとされることで、自動販売機の余分の商業収益を増すことができる。
【００２３】
図１及び図３に示されるように、本考案の同じ創作概念下の別の理想的な実施例によると、上述の時間制御ユニット２２の別端に更に少なくとも一つの監視装置２３が設けられ、該監視装置２３は監視レンズ２３１、録画システム２３２及び保存ユニット２３３を包含し、上述の監視レンズ２３１は機体１０の前方パネルに接続され（図１）、上述の保存ユニット２３３は上述の監視装置２３内に設置され、並びに該録画システム２３２に接続され、また、該録画システム２３２は機体１０内に設置され、並びに上述の監視レンズ２３１が該録画システム２３２に接続され、監視レンズ２３１が撮影した画面が録画システム２３２を通して保存ユニット２３３内に保存される。
【００２４】
そのうち、上述の録画システム２３２は上述のディスプレイ２０に接続される。
【００２５】
実行可能な実施例では、上述の監視装置２３はデジタル画像録画装置（Ｄｉｇｉｔａｌ  ｖｉｄｅ  ｒｅｃｏｒｄｅｒ：ＤＶＲ）とされる。
【００２６】
好ましい実施例では、機体１０の周囲にさらに複数の監視レンズ２３１が設置されて、全方位の各角度の監視を行なえ、周辺環境の安全を確保する。
【００２７】
本考案を使用する時は、時間制御ユニット２２により設定時間に監視装置２３を駆動し、その録画した監視画面を録画システム２３２を通して処理してディスプレイ２０に出力し、深夜に自動切換して放送し、泥棒に警告する作用を達成し、窃盗を防止する。
【００２８】
自動販売機内の放送装置２１及び監視装置２３を利用し、主回路板に設けられた時間制御ユニット２２が特定時間に異なる広告媒体を放送することにより、製品販売促進の効果を達成し、並びに深夜に自動的に監視画面をディスプレイに出力することで泥棒に警告を与えることができ、これにより自動販売機が更に競争力を具備するものとされる。
【図面の簡単な説明】
【００２９】
【図１】本考案の外観正面図である。
【図２】本考案の好ましい実施例の表示図である。
【図３】本考案の理想的な実施例の表示図である。
【符号の説明】
【００３０】
１０  機体
１１  物品収容エリア
１２  物品選択エリア
１３  金銭投入装置
１４  物品取出し口
２０  ディスプレイ
２１  放送装置
２２  時間制御ユニット
２３  監視装置
２３１  監視レンズ
２３２  録画システム
２３３  保存ユニット
【図１】
0003137182.tif 000003
【図２】
0003137182.tif 000004
【図３】
0003137182.tif 000005